(57)【特許請求の範囲】
【請求項１】
互いに積層された複数のカバー枠によりカバー本体を伸縮可能に構成し、前記カバー本体の一端を案内経路上で往復移動する移動体に連結したテレスコカバーにおいて、
前記各カバー枠は、上面及び一対の側面を備え、前記各カバー枠の両側面には、前記カバー本体の伸縮方向へ前記カバー枠の側面に沿って延出される延出部を設け、前記本体カバーが伸縮する際に、隣接するそれぞれの延出部同士を当接可能に配置したテレスコカバー。
【請求項２】
前記延出部は、各カバー枠と同一幅を有し、前記移動体に対応するように配置されるものである請求項１に記載のテレスコカバー。
【請求項３】
前記延出部は、カバー本体が収縮した際に、前記移動体の上側付近、移動体の下側付近又は移動体の両側付近のうち何れか一つの位置に配置されるものである請求項２に記載のテレスコカバー。
【請求項４】
前記延出部は各カバー枠と一体に成形されている請求項１〜請求項３のうち何れか一項に記載のテレスコカバー。
【発明の詳細な説明】
【０００１】
【発明の属する技術分野】
本発明は、例えば、工作機械のテーブルの移動に伴って伸縮し、テーブルの摺動面を切粉、塵埃等から保護するテレスコカバーに関するものである。
【０００２】
【従来の技術】
従来より、この種のテレスコカバーとしては、例えば、図１９に示すものがある。即ち、このカバー本体６０では、複数のカバー枠６１〜６３が積層されている。そして、最内部のカバー枠６１がテーブル６４に、又、最外部のカバー枠６３が工作機械（図示せず）に固定されている。中間のカバー枠６２及び最外部のカバー枠６３の先端には連結金具６５を介してワイパー６６が取り付けられ、各ワイパー６６は下側に隣接する最内部及び中間のカバー枠６１，６２の上面に対して当接されている。そして、テーブル６４が移動すると、最内部及び中間のカバー枠６１，６２が図１９の左方向に移動し、カバー本体６０が伸長される（図２０参照）。テーブル６４が反対側に移動すると、最内部及び中間のカバー枠６１，６２が図２０の右方向に移動し、カバー本体６０が収縮される（図１９参照）。
【０００３】
【発明が解決しようとする課題】
ところが、前記カバー本体６０の幅に対する同カバー本体６０の収縮長さの比が所定値（例えば７．５）を越えると、カバー本体６０が伸縮した際に蛇行し、最内部及び中間のカバー枠６１，６２をスムーズに移動させることが難しかった。
【０００４】
そこで、本発明は、各カバー枠をスムーズに移動させることで、カバー本体の伸縮を安定させることを目的とした。
【０００５】
【課題を解決するための手段】
請求項１に記載の発明は、互いに積層された複数のカバー枠によりカバー本体を伸縮可能に構成し、前記カバー本体の一端を案内経路上で往復移動する移動体に連結したテレスコカバーにおいて  前記各カバー枠は、上面及び一対の側面を備え、前記各カバー枠の両側面には、前記カバー本体の伸縮方向へ前記カバー枠の側面に沿って延出される延出部を設け、前記本体カバーが伸縮する際に、隣接するそれぞれの延出部同士を当接可能に配置したことを要旨とする。
【０００６】
請求項２に記載の発明は、前記延出部は、各カバー枠と同一幅を有し、前記移動体に対応するように配置されるものであることを要旨とする。
請求項３に記載の発明は、前記延出部は、カバー本体が収縮した際に、前記移動体の上側付近、移動体の下側付近又は移動体の両側付近のうち何れか一つの位置に配置されるものであることを要旨とする。
【０００７】
請求項４に記載の発明は、前記延出部は各カバー枠と一体に成形されていることを要旨とする。
【０００８】
【発明の実施の形態】
（第１実施形態）
以下、本発明を工作機械の摺動面を保護するテレスコカバーに具体化した第１実施形態を図１〜図７に基づいて説明する。
【０００９】
図１〜図４に示すように、水平方向へ配設された案内経路としての案内レール１には移動体としてのテーブル２が水平方向（図１の左右方向）へ往復移動可能に設けられている。案内レール１の上面は摺動面１ａとなっている。案内レール１の一端には工作機械（一部のみ図示する）３が設けられ、この工作機械３とテーブル２との間には前記摺動面１ａを保護するためのカバー本体４が水平方向へ伸縮可能に設けられている。このカバー本体４は互いに積層された複数（本実施形態では４つ）のカバー枠５ａ〜５ｄから構成され、各カバー枠５ａ〜５ｄは、内側にあるカバー枠５ａ〜５ｄ程その大きさが小さくなっている。そして、各カバー枠５ａ〜５ｄはそれぞれ相対移動可能となっている。各カバー枠５ａ〜５ｄのうち最内部のカバー枠５ａは取付板６を介してテーブル２の一側に連結され、最外部のカバー枠５ｄは移動不能な工作機械３に連結されている。
【００１０】
図２，図５〜図７に示すように、最外部のカバー枠５ｄを除く前記各カバー枠５ａ〜５ｃは、山形状をなす囲い部７ａ〜７ｃと、各囲い部７ａ〜７ｃの一端（図２の右側）に設けられた可動側板８ａ〜８ｃとから構成されている。又、最外部のカバー枠５ｄは、山形状をなす囲い部７ｄと、各囲い部７ｄの一端に設けられた固定側板８ｄとから構成されている。各囲い部７ａ〜７ｄの一端縁には内側へ複数の取付部９がプレス成形により折曲され、この取付部９に前記各可動側板８ａ〜８ｃ及び固定側板８ｄが溶接により固着されている。各可動側板８ａ〜８ｃ及び固定側板８ｄの上端縁は、それぞれに対応する各囲い部７ａ〜７ｄの上面よりも上方に突出している。
【００１１】
図２，図５に示すように、可動側板８ａ〜８ｃの下端には前記案内レール１に係入された切欠き部１０が形成され、この切欠き部１０の両端には一対のスライダ１１が摺動面１ａに対して摺動可能に当接されている。即ち、各可動側板８ａ〜８ｃはスライダ１１を介して案内レール１に支持されている。又、最内部の可動側板８ａの両側部には一対の緩衝ダンパー１２が設けられ、両緩衝ダンパー１２は同可動側板８ａに貫通された伸縮可能なロッド１２ａを備えている。そして、カバー本体４が収縮した際に、ロッド１２ａの先端が下から二番目のカバー枠５ｂに対して当接することにより、同カバー枠５ｂがテーブル２側へ接近しないように移動規制される。更に、各可動側板８ａ〜８ｃの上部外側面には緩衝ゴム１３が設けられ、それぞれの緩衝ゴム１３は、カバー本体４が収縮した際に、最内部を除く可動側板８ｂ，８ｃ及び固定側板８ｄに対して当接する。
【００１２】
一方、図２，図７に示すように、固定側板８ｄの下端には前記案内レール１に係入された切欠き部１４が形成され、同固定側板８ｄの上端にはボルト挿通孔１５が形成されている。そして、このボルト挿通孔１５を介して取付ボルト１６の先端部が工作機械３に螺合されることにより、固定側板８ｄは工作機械３に取り付けられている。
【００１３】
図２，図３に示すように、最内部の囲い部７ａを除く各囲い部７ｂ〜７ｄの上部内側面にはワイパー１７が設けられ、それぞれのワイパー１７は隣接する下側の囲い部７ａ〜７ｃの上面に対し摺動可能に当接されている。そして、各ワイパー１７はカバー本体４の伸縮に合わせて摺動する。
【００１４】
図１〜図３，図７に示すように、前記各囲い部７ａ〜７ｄの両側には、長方形状をなす一対の延出部（規制部）１８ａ〜１８ｄがテーブル２側に向けて突設されている。即ち、カバー本体４の伸縮方向に沿って突設されている。各囲い部７ａ〜７ｄと各延出部１８ａ〜１８ｄはプレス成形により一体に成形されている。各一対の延出部１８ａ〜１８ｄの間隔は、カバー枠５ａ〜５ｄの幅と同一となっており、平行となるように対向している。又、カバー本体４が収縮した状態において、各延出部１８ａ〜１８ｄの上端縁は前記テーブル２の下面よりも下側付近に位置している。それとともに、各延出部１８ａ〜１８ｄは、水平方向に並設されている。更に、最内部に位置する延出部１８ａはテーブルの両側よりも外方に位置されている。
【００１５】
図１，図２に示すように、カバー本体４が収縮した状態において、前記各延出部１８ａ〜１８ｄ同士は互いに重合するようになっている。又、図３に示すように、カバー本体４が伸長した状態において、各延出部１８ａ〜１８ｄは、それらの先端が隣接する延出部１８ａ〜１８ｄの基端部付近に位置するようになっている。そして、カバー本体４の伸縮に伴って、各延出部１８ａ〜１８ｄ同士は、隣接する延出部１８ａ〜１８ｄで互いに摺動するようになっている。この摺動により、各カバー枠５ａ〜５ｄの移動がガイドされる。
【００１６】
なお、図５，図７に示すように、前記各延出部１８ａ〜１８ｄの下端縁及び各カバー枠５ａ〜５ｄの両側下端縁には内側に折曲された一対の折曲部１９ａ〜１９ｄが設けられている。そして、カバー本体４の収縮時において、この折曲部１９ａ〜１９ｄはほぼ全体が互いに重合するようになっている。又、カバー本体４の伸長時において、この折曲部１９ａ〜１９ｄの一部が互いに重合するようになっている。
【００１７】
次に、上記のように構成された第１実施形態におけるテレスコカバーの作用について説明する。
図２に示すように、カバー本体４が収縮した状態で、テーブル２が工作機械３から離間する方向に移動すると、各可動側板８ａ〜８ｃが最内部の可動側板８ａから順に移動する。この移動に伴い、各可動側板８ａ〜８ｃが、最内部の可動側板８ａから順にワイパー１７を押圧する。すると、最外部のカバー枠５ｄを除く各カバー枠５ａ〜５ｃが、最内部のカバー枠５ａから順に、テーブル２と同方向、即ち工作機械３から離間する方向へ移動する。そして、各カバー枠５ａ〜５ｃの移動により、カバー本体４全体が伸長する。カバー本体４が伸長する際において、最外部のカバー枠５ｄを除く各カバー枠５ａ〜５ｃは、それらの下側に隣接する延出部１８ａ〜１８ｄに摺動ガイドされながらスムーズに移動する。そのため、カバー本体４はその伸長時に蛇行することはない。
【００１８】
逆に、図３に示すように、カバー本体４が伸長した状態で、テーブル２が工作機械３に接近する方向に移動すると、各可動側板８ａ〜８ｃが最内部の可動側板８ａから順に移動する。この移動に伴い、各可動側板８ａ〜８ｃが、最内部の可動側板８ａから順に緩衝ゴム１３を押圧する。すると、最外部のカバー枠５ｄを除く各カバー枠５ａ〜５ｃが、最内部のカバー枠５ａから順に、テーブル２と同方向、即ち工作機械３から接近する方向へ移動する。そして、各カバー枠５ａ〜５ｃの移動により、カバー本体４全体が収縮する。カバー本体４が収縮する際において、最外部のカバー枠５ｄを除く各カバー枠５ａ〜５ｃは、それらの下側に隣接する延出部１８ａ〜１８ｄに摺動ガイドされながらスムーズに移動する。そのため、カバー本体４はその収縮時にも蛇行することはない。
【００１９】
次に、本実施形態から見い出せる効果を以下に記載する。
（１）各カバー枠５ａ〜５ｄの両側にそれぞれ一対の延出部１８ａ〜１８ｄを設けた。そして、カバー本体４が伸縮する際において、この延出部１８ａ〜１８ｄにより、最外部を除く各カバー枠５ａ〜５ｃの移動をガイドするようにした。従って、カバー本体４が蛇行するのを防止でき、カバー本体４の伸縮を安定させることができる。
【００２０】
（２）カバー本体４が収縮した状態において、各延出部１８ａ〜１８ｄをテーブル２の下面よりも下側付近に配置したため、テーブル２の下方のスペースを有効利用することができ、カバー本体４の幅方向が大型化するのを防止することができる。従って、カバー本体４の設置スペースが大きくなることはない。
【００２１】
（３）各延出部１８ａ〜１８ｄを各カバー枠５ａ〜５ｄにそれぞれ一体に成形したため、各延出部１８ａ〜１８ｄを各カバー枠５ａ〜５ｄに取り付けたりする作業が必要ない。しかも、組み付けるための部品点数が多くなることもない。従って、カバー本体４を簡単に製造することができるとともに、カバー本体４の製造コストが上昇するのを防止することができる。
【００２２】
（第２実施形態）
次に、第２実施形態について図８〜図１２に基づいて説明する。なお、前記第１実施形態と同一なる構成についてはその説明を省略し、同一符号を付す。
【００２３】
図８〜図１２に示すように、前記第１実施形態におけるカバー本体４では、最内部の囲い部７ａをテーブル２に取り付け、最外部の囲い部７ｄを工作機械３に取り付けた。この第２実施形態のカバー本体４では、最外部の囲い部７ｄが取付板６を介してテーブル２に取り付けられ、最内部の囲い部７ａが固定側板８ｄを介して工作機械３に取り付けられている。
【００２４】
この第２実施形態における作用を説明する。
図９に示すように、カバー本体４が収縮した状態で、テーブル２が工作機械３から離間する方向に移動すると、最内部の囲い部７ａを除く各囲い部７ｂ〜７ｄが、最外部の囲い部７ｄから順に移動する。この移動に伴い、各囲い部７ｂ〜７ｄが、最外部における囲い部７ｄのワイパー１７から順に、下側に隣接する可動側板８ａ〜８ｃの上端部を押圧する。すると、最内部のカバー枠５ａを除く各カバー枠５ｂ〜５ｄが、最外部のカバー枠５ｄから順に、テーブル２と同方向、即ち工作機械３から離間する方向へ移動する。そして、各カバー枠５ｂ〜５ｄの移動により、カバー本体４全体が伸長する。カバー本体４が伸長する際において、最外部のカバー枠５ｄを除く各カバー枠５ａ〜５ｃは、それらの下側に隣接する延出部１８ａ〜１８ｄに摺動ガイドされながらスムーズに移動する。そのため、カバー本体４はその伸長時に蛇行することはない。
【００２５】
逆に、図１０に示すように、カバー本体４が伸長した状態で、テーブル２が工作機械３に接近する方向に移動すると、最内部の囲い部７ａを除く各囲い部７ｂ〜７ｄが、最外部の囲い部７ｄから順に移動する。この移動に伴い、取付板６及び可動側板８ｂ，８ｃが緩衝ゴム１３を押圧する。すると、最内部のカバー枠５ａを除く各カバー枠５ｂ〜５ｄが、最外部のカバー枠５ｄから順に、テーブル２と同方向、即ち工作機械３へ接近する方向へ移動する。そして、各カバー枠５ｂ〜５ｄの移動により、カバー本体４全体が収縮する。カバー本体４が収縮する際において、最内部のカバー枠５ａを除く各カバー枠５ｂ〜５ｄは、それらの下側に隣接する延出部１８ａ〜１８ｄに摺動ガイドされながらスムーズに移動する。そのため、カバー本体４はその伸縮時に蛇行することはない。
【００２６】
（第３実施形態）
次に、第３実施形態について図１３〜図１８に基づいて説明する。前記第１及び第２実施形態に示したカバー本体４は、水平方向において伸縮するタイプであるが、この第３実施形態では鉛直方向において伸縮するタイプである。
【００２７】
即ち、図１３〜図１５に示すように、鉛直方向へ配設された案内経路としての案内レール２１には、移動体としてのテーブル２２がリニアモーションベアリング２２ａを介して鉛直方向（図１５の上下方向）へ往復移動可能に設けられている。案内レール２１の近傍には工作機械（一部のみ図示する）２３が設けられ、この工作機械２３とテーブル２２との間には、前記両案内レール２１の摺動面２１ａを保護するためのカバー本体２４が鉛直方向へ伸縮可能に設けられている。このカバー本体２４は水平方向に並設された複数（本実施形態では４つ）のカバー枠２５ａ〜２５ｄから構成され、各カバー枠２５ａ〜２５ｄの大きさは、内側のもの程小さくなっている。そして、各カバー枠２５ａ〜２５ｄはそれぞれ鉛直方向へ相対移動可能となっている。
【００２８】
図１５，図１６に示すように、最内部のカバー枠２５ａの内側には取付板２６が溶接により固着され、取付板２６の先端にはボルト２７により移動不能な前記工作機械２３が連結されている。各カバー枠２５ａ〜２５ｄの内側には取付フレーム２８が設けられている。この取付フレーム２８は、前記テーブル２２の下縁及び両側を囲む凹状のフランジ部２８ａと、同フランジ部２８ａの両端からそれぞれ外側へ折曲された連結部２８ｂとから構成されている。フランジ部２８ａの内側には複数の固定ボルト２９によりテーブル２２が固定されている。又、連結部２８ｂの下面には最外部のカバー枠２５ｄが溶接により固着されている。即ち、カバー本体２４の上端が、取付フレーム２８を介してテーブル２２に連結されている。
【００２９】
図１５〜図１８に示すように、最内部のカバー枠２５ａを除く各カバー枠２５ｂ〜２５ｄの内側面には、それぞれ一対のストッパ３６ｂ〜３６ｄが対向するように取着されている。各ストッパ３６ｂ〜３６ｄは最外部のカバー枠２５ｄを除く各カバー枠２５ａ〜２５ｃの外側面に対して摺動可能に当接されている。各カバー枠２５ａ〜２５ｄの両側部にはテーブル２２側に向けて延出部（規制部）３０ａ〜３０ｄが突設されている。即ち、延出部３０ａ〜３０ｄはカバー本体２４の伸縮方向に沿って突設されている。又、両延出部３０ａ〜３０ｄの間隔は、カバー枠５ａ〜５ｄの幅と同一となっており、平行となるように対向している。前記延出部３０ａ〜３０ｄの間における各カバー枠２５ａ〜２５ｄには、その幅方向に沿って曲げ部３１ａ〜３１ｄが同カバー枠２５ａ〜２５ｄの内側に折曲されている。
【００３０】
前記最外部の延出部３０ｄを除く各延出部３０ａ〜３０ｃの先端には折曲部３２が形成され、この折曲部３２には受け板３３ａ〜３３ｃが溶接により固着されている。前記最内外の受け板３３ａ，３３ｄを除く受け板３３ｂ，３３ｃの下面には緩衝ゴム３４ｂ，３４ｃが設けられている。又、前記取付フレーム２８における連結部２８ｂの下面には緩衝ゴム３４ｄが設けられている。そして、カバー本体２４が収縮すると、各緩衝ゴム３４ｂ〜３４ｄの下面が、隣接する内側の各受け板３３ａ〜３３ｃの上面に当接するようになっている。この当接により、最内部を除くカバー枠２５ｂ〜２５ｄが下方へ移動規制される。又、カバー本体２４が伸長すると、各受け板３３ａ〜３３ｃから各緩衝ゴム３４ｂ〜３４ｄが離間するとともに、各ストッパ３６ｂ〜３６ｄの上端が隣接する内側の各受け板３３ａ〜３３ｃの下面に当接するようになっている。
【００３１】
図１５〜図１８に示すように、前記延出部３０ａ〜３０ｄはチャンネル状に形成され、カバー枠２５ａ〜２５ｄの幅方向において互いに対向して配置されている。即ち、各延出部３０ａ〜３０ｄはテーブル２２の両側付近において、テーブル２２の両側を挟み込むようにして配置されている。又、各延出部３０ａ〜３０ｄの幅は各カバー枠２５ａ〜２５ｄと同じとなっており、各延出部３０ａ〜３０ｄの側壁３５ａ〜３５ｄは互いに平行になっている。
【００３２】
図１６に示すように、カバー本体２４が収縮すると、前記各延出部３０ａ〜３０ｄ同士は重合するようになっている。又、図１７に示すように、カバー本体２４が伸長すると、最外部を除く各延出部３０ａ〜３０ｃは、それらが外側の隣接する延出部３０ｂ〜３０ｄの基端部付近に位置するようになっている。そして、カバー本体２４の伸縮に伴って、各延出部３０ａ〜３０ｄ同士は、隣接する延出部３０ａ〜３０ｄで互いに摺動するようになっている。この摺動により、各カバー枠２５ａ〜２５ｄの移動がガイドされる。
【００３３】
次に、上記のように構成された第３実施形態におけるテレスコカバーの作用について説明する。
図１６に示すように、カバー本体２４が収縮した状態で、テーブル２２が上方に移動すると、各ストッパ３６ｂ〜３６ｄが対応する受け板３３ａ〜３３ｃの外端部を押圧する。すると、最内部のカバー枠２５ａを除く各カバー枠２５ｂ〜２５ｄが、最外部のカバー枠２５ｄから順に上方へ移動する。そして、各カバー枠２５ｂ〜２５ｄの移動により、カバー本体２４全体が伸長する。カバー本体２４が伸長する際において、最内部のカバー枠２５ａを除く各カバー枠２５ｂ〜２５ｄは、それらの内側に隣接する延出部３０ａ〜３０ｄの側壁３５ａ〜３５ｄに摺動ガイドされながらスムーズな移動が可能となる。そのため、カバー本体２４はその伸長時に蛇行することはない。
【００３４】
逆に、図１７に示すように、カバー本体２４が伸長した状態で、テーブル２２が下方に移動すると、最内部のカバー枠２５ａを除く各カバー枠２５ｂ〜２５ｄが、最内部から二番面のカバー枠２５ｂから順に下方へ移動する。そして、各緩衝ゴム３４ｂ〜３４ｄが対応する受け板３３ａ〜３３ｃに当接される。この当接により、各カバー枠２５ｂ〜２５ｄは下方への移動が規制され、カバー本体２４全体が収縮する。カバー本体２４が収縮する際において、最内部のカバー枠２５ａを除く各カバー枠２５ｂ〜２５ｄは、それらの内側に隣接する延出部３０ａ〜３０ｄの側壁３５ａ〜３５ｄに摺動ガイドされながらスムーズに移動する。そのため、カバー本体２４はその伸長時に蛇行することはない。従って、カバー本体２４が蛇行するのを防止でき、カバー本体２４の伸縮を安定させることができる。
【００３５】
なお、本発明は前記第１〜第３実施形態以外に以下のように構成してもよい。（イ）前記第１〜第３実施形態では、何れも４つのカバー枠５ａ〜５ｄ，２５ａ〜２５ｄから構成したが、複数であれば任意の数に変更してもよい。
【００３６】
（ロ）前記第１〜第３実施形態では、各カバー枠５ａ〜５ｄ，２５ａ〜２５ｄと、各延出部１８ａ〜１８ｄ，３０ａ〜３０ｄとをそれぞれ一体に成形した。これ以外にも、既設のカバー枠に対応するために、各カバー枠５ａ〜５ｄ，２５ａ〜２５ｄの両側に、各延出部１８ａ〜１８ｄ，３０ａ〜３０ｄを溶接により固着してもよい。
【００３７】
（ハ）前記第１及び第２実施形態では、カバー本体４が収縮した状態に置いて、各延出部１８ａ〜１８ｄをテーブル２の下側付近に配置した。又、第３実施形態では、カバー本体２４が収縮した状態において、各延出部３０ａ〜３０ｄをテーブル２２の両側付近に配置した。これ以外にも、カバー本体４，２４が収縮した状態において、各延出部１８ａ〜１８ｄ，３０ａ〜３０ｄはテーブル２，２２に対応する位置であれば、どのような形状に変更することが可能である。例えば、カバー本体４，２４が収縮した状態において、各延出部１８ａ〜１８ｄ，３０ａ〜３０ｄをテーブル２，２２の上側付近に配置するようにしてもよい。
【００３８】
（ニ）前記第１〜第３実施形態以外では、各延出部１８ａ〜１８ｄ，３０ａ〜３０ｄをほぼ同じ大きさにし、それらの面積をほぼ同じにしたが、各延出部１８ａ〜１８ｄ，３０ａ〜３０ｄの大きさを千差万別にしてもよい。
【００３９】
次に、前記実施形態から把握できる請求項以外の技術的思想について、それらの効果とともに記載する。
（１）前記各延出部は、カバー本体からの長さが共に同一である請求項２〜請求項４のうち何れか一項に記載のテレスコカバー。この構成によれば、テレスコカバーの伸縮をより一層安定化させることができる。
【００４０】
【発明の効果】
請求項１に記載の発明によれば、各カバー枠に設けられた延出部により、テーブルが伸縮する際に、各カバー枠の移動がガイドされるため、カバー本体の伸縮を安定させることができる。
【００４１】
請求項２に記載の発明によれば、請求項１に記載の発明の効果に加え、カバー本体が幅方向へ大型するのを防止できる。
請求項３に記載の発明によれば、請求項２に記載の発明の効果に加え、カバー本体がより一層大型化するのを防止することができる。
【００４２】
請求項４に記載の発明によれば、請求項１〜請求項３のうち何れか一項に記載の発明の効果に加え、延出部をカバー枠に組み付けるための部品を省略することができるため、製造コストが上昇するのを防止することができる。
【図面の簡単な説明】
【図１】第１実施形態におけるカバー本体の収縮状態を示す平面図。
【図２】同じく、図１のＶ１−Ｖ１断面図。
【図３】同じく、カバー本体の伸長状態を示す断面図。
【図４】同じく、図１のＶ２−Ｖ２断面図。
【図５】同じく、最外部を除くカバー枠を示す分解斜視図。
【図６】同じく、カバー枠の一部分を示す分解斜視図。
【図７】同じく、最外部のカバー枠を示す分解斜視図。
【図８】第２実施形態におけるカバー本体の収縮状態を示す平面図。
【図９】同じく、図８のＷ１−Ｗ１断面図。
【図１０】同じく、カバー本体の伸長状態を示す断面図。
【図１１】同じく、最外部を除くカバー枠を示す分解斜視図。
【図１２】同じく、最外部のカバー枠を示す分解斜視図。
【図１３】第３実施形態におけるカバー本体の収縮状態を示す正面図。
【図１４】同じく、図１３のＸ１−Ｘ１断面図。
【図１５】同じく、図１３のＸ２−Ｘ２断面図。
【図１６】同じく、図１５のＸ３−Ｘ３断面図。
【図１７】同じく、カバー本体の伸長状態を示す断面図。
【図１８】同じく、最外部を除くカバー枠を示す斜視図。
【図１９】従来技術におけるカバー本体が収縮した状態を示す断面図。
【図２０】同じく、カバー本体が伸長した状態を示す断面図。
【符号の説明】
４，２４…カバー本体、５ａ〜５ｄ，２５ａ〜２５ｄ…カバー枠、１，２１…案内レール（案内経路）、２，２２…テーブル（移動体）、１８ａ〜１８ｄ，３０ａ〜３０ｄ…延出部（規制部）。
【図１】
0003741801.tif 000002
【図２】
0003741801.tif 000003
【図３】
0003741801.tif 000004
【図４】
0003741801.tif 000005
【図５】
0003741801.tif 000006
【図６】
0003741801.tif 000007
【図７】
0003741801.tif 000008
【図８】
0003741801.tif 000009
【図９】
0003741801.tif 000010
【図１０】
0003741801.tif 000011
【図１１】
0003741801.tif 000012
【図１２】
0003741801.tif 000013
【図１３】
0003741801.tif 000014
【図１４】
0003741801.tif 000015
【図１５】
0003741801.tif 000016
【図１６】
0003741801.tif 000017
【図１７】
0003741801.tif 000018
【図１８】
0003741801.tif 000019
【図１９】
0003741801.tif 000020
【図２０】
0003741801.tif 000021